(57)【特許請求の範囲】
【請求項１】
換気構造体であって、
長手方向に延びる棒形状の換気部材と、
前記換気部材がその一方面に配置される平板状の被取付体と、
前記換気部材を前記被取付体に脱着自在に固定することができる固定部材とを備え、
前記換気部材は、外殻が四角形の横断面形状を有すると共に、短手方向に対向する側面同士を連通する複数の通気路が全面に形成され、
前記固定部材は、
前記被取付体の前記一方面において、前記換気部材に対して前記短手方向に被さるように配置され、前記換気部材の前記短手方向の上面及び前記側面の各々に沿う側面視Ω形状のバンド体と、
前記被取付体を介して前記バンド体に対向する位置に配置されたベース体と、
前記バンド体と前記ベース体とを前記被取付体を貫通した状態で脱着自在に係止する係止手段とを含み、
前記バンド体は、前記換気部材の前記側面の各々に接して前記通気路の一部を塞ぐ一対の側板を有し、前記側板の一方のみに開口が形成される、換気構造体。
【請求項２】
前記バンド体は、
前記換気部材の前記側面の一方のみに接する第１バンド部品と、
前記第１バンド部品の外面の上端部と、前記換気部材の前記上面及び前記側面の他方とに接する第２バンド部品とから構成される、請求項１記載の換気構造体。
【請求項３】
換気構造体であって、
長手方向に延びる棒形状の換気部材と、
前記換気部材がその一方面に配置される平板状の被取付体と、
前記換気部材を前記被取付体に脱着自在に固定することができる固定部材とを備え、
前記換気部材は、外殻が四角形の横断面形状を有すると共に、短手方向に対向する側面同士を連通する複数の通気路が全面に形成され、
前記固定部材は、
前記被取付体の前記一方面において、前記換気部材に対して前記短手方向に被さるように配置され、前記換気部材の前記短手方向の上面及び前記側面の各々に沿う側面視Ω形状のバンド体と、
前記被取付体を介して前記バンド体に対向する位置に配置されたベース体と、
前記バンド体と前記ベース体とを前記被取付体を貫通した状態で脱着自在に係止する係止手段とを含み、
前記バンド体は、
前記換気部材の前記側面の一方のみに接する第１バンド部品と、
前記第１バンド部品の外面の上端部と、前記換気部材の前記上面及び前記側面の他方とに接する第２バンド部品とから構成され、
前記係止手段は、
前記ベース体の一方面に固定され、前記被取付体を貫通する少なくとも一対のボルト胴部と、
前記第１バンド部品に形成され、前記ボルト胴部の一方が挿通される第１の開口と、
前記第２バンド部品に形成され、前記ボルト胴部の他方が挿通される第２の開口と、
前記ボルト胴部の一方に螺合する第１のナットと、
前記ボルト胴部の他方に螺合する第２のナットとを含む、換気構造体。
【請求項４】
前記バンド体は、前記換気部材の前記側面の各々に接して前記通気路の一部を塞ぐ一対の側板を有し、前記側板の一方のみに開口が形成される、請求項３記載の換気構造体。
【請求項５】
請求項１から請求項４のいずれかに記載の換気構造体を備えた、換気棟。
【発明の詳細な説明】
【技術分野】
【０００１】
この発明は換気構造体及びこれを用いた換気棟に関し、特に、換気棟等に用いられる換気構造体に関するものである。
【背景技術】
【０００２】
図９は特許文献１に開示されている従来の換気構造体を使用した換気棟の全体構造を示す分解斜視図である。
【０００３】
図を参照して、換気棟５は、鋼板のプレス加工によって形成された換気棟本体１０と、換気棟本体１０上に設置された一対の換気構造体７０ａ、７０ｂと、図の矢印で示すように換気部材８ａ及び８ｂに被さるように設置される、鋼板のプレス加工によって形成された本体カバー２０とから主に構成されている。
【０００４】
換気棟本体１０は、その中央部に形成された換気棟開口１６ａ〜１６ｃから図示しない屋根材に対してほぼ平行に幅方向に向かって斜め下方に延びる一対の平坦部１１ａ、１１ｂと、平坦部１１ａ、１１ｂの各々の外方端に接続され、ほぼ垂直下方に延びる一対の垂直部１２ａ、１２ｂと、垂直部１２ａ、１２ｂの各々の下方端に接続され、平坦部１１ａ、１１ｂとほぼ平行に外方に延びるフランジ部１３ａ、１３ｂとから構成されている。又、平坦部１１ａ、１１ｂの各々の外方側には、後述する固定釘等を挿通させるための取付孔４６が長手方向に複数形成されている。
【０００５】
換気構造体７０ａ、７０ｂは、一対の換気部材８ａ、８ｂと、換気部材８ａ、８ｂの各々が上面に配置されている換気棟本体１０の平坦部１１ａ、１１ｂと、平坦部１１ａ、１１ｂの各々を被取付体として換気部材８ａ、８ｂを固定している複数のバンド体７１ａ、７１ｂとで構成されている。
【０００６】
そして、換気部材８ａ、８ｂは、幅方向の断面が四角形状を有すると共に、開口部分１６ａ〜１６ｃに沿って長手方向に延びる棒形状に形成されている。換気部材８ａ、８ｂの詳細な構造については後述する。
【０００７】
又、換気部材８ａ、８ｂの各々の内方側には、換気棟開口１６ａ〜１６ｃに沿って長手方向に延びると共に、幅方向の断面がＬ字形状の水返し部１５ａ、１５ｂが配置されている。更に、換気部材８ａ、８ｂの長手方向の端部付近の各々から内方側を覆うように形成された防水板２５ａ〜２５ｄが、平坦部１１ａ、１１ｂの各々にリベット等によって固定されている。
【０００８】
更に、換気部材８ａ、８ｂの各々には、所定方向の断面がΩ形状である金属製のバンド体７１ａ、７１ｂの各々が、換気部材８ａ、８ｂの各々の一部に被さるように長手方向に所定間隔に複数設置されている。そして、バンド体７１ａ、７１ｂの各々の平坦部１１ａ、１１ｂに接する部分は、図示しないリベットによって平坦部１１ａ、１１ｂに固定されている。又、バンド体７１ａ、７１ｂの各々の上面部には、取付孔７７ａ、７７ｂが形成されている。バンド体７１ａ、７１ｂの詳細な構造については後述する。
【０００９】
本体カバー２０は、ほぼ山形形状に平坦部１１ａ、１１ｂの各々に対して平行状態で幅方向に向かって斜め下方に延びる一対の平板部２１ａ、２１ｂと、平板部２１ａ、２１ｂの各々の外方端に接続され、設置状態において平坦部１１ａ、１１ｂの外方側の位置に向かって下方に延びる一対の垂下部２２ａ、２２ｂ（図示せず）とから構成されている。又、平板部２１ａ、２１ｂの各々には、設置状態においてバンド体７１ａ、７１ｂの上面部の取付孔７７ａ、７７ｂの各々に対応する位置に取付孔４８が複数形成されている。
【００１０】
図１０は換気棟を屋根材に取り付けた状態であって、本体カバーを設置した状態における図９で示したＸ−Ｘラインの端面図である。
【００１１】
図を参照して、図１で示した取付孔４６の下方側に防水パッキン３７ａ、３７ｂを取り付けた状態で固定釘３６ａ、３６ｂを挿入し、打ち込むことによって換気棟本体１０は屋根材２８と固定されている。
【００１２】
次に、換気部材８ａ及び８ｂに被さるように設置された本体カバー２０は、図９で示した取付孔４８及びバンド体７１ａ、７１ｂの上面に形成された取付孔７７ａ、７７ｂを介して、ビス５５ａ、５５ｂによってバンド体７１ａ、７１ｂの各々に固定される。即ち、剛性の高いバンド体７１ａ、７１ｂによって換気部材８ａ、８ｂを保護した状態で本体カバー２０が取り付けられる。そのため、外方からの衝撃によって換気部材８ａ、８ｂを損傷することなく、本体カバー２０が安定的に取り付けられる。
【００１３】
そして、このように設置された本体カバー２０においては、上述した通り垂下部２２ａ、２２ｂの各々は、平坦部１１ａ、１１ｂの各々の外方側に向かって下方に延びる。又、垂下部２２ａ、２２ｂの各々の下端の位置は、対向する平坦部１１ａ、１１ｂの各々を含む仮想平面（図において二点鎖線で示す部分）上に位置している。従って、図の一点鎖線で描いた矢印で示すような屋根材２８に加わる風雨の吹込みが発生しても、風雨の吹込みが換気部材８ａ、８ｂに直接向かう虞が無い。そのため、換気棟５の防水性能の信頼性が高い。尚、換気棟本体１０と屋根材２８との間から風雨の吹込みが発生した場合においては、換気棟本体１０はシーリング材３９ａ、３９ｂによって屋根材２８にシール状態に設置されているため、内方側への風雨の侵入が阻止される。
【００１４】
そして、通気状態にあっては、図の実線で描いた矢印で示されるように屋根材２８の中央部において捨水切３３ａ、３３ｂの間から上昇した空気は、換気棟本体１０の換気棟開口１６を通過する。その後、換気部材８ａ、８ｂの各々の通気路を介して内方側から外方側に通過する。そして、換気部材８ａ、８ｂの各々を通過した空気は垂下部２２ａ、２２ｂの各々の下端と屋根材２８との間のスペースよりなる通気口１８ａ、１８ｂを介して外方に排出される。
【００１５】
又、本体カバー２０の平板部２１ａ、２１ｂにおける、換気部材８ａ、８ｂが取り付けられていない本体カバー２０の頂点側の下面には、断熱材９が取り付けられている。従って、本体カバー２０からの結露が防止される。そのため、換気棟本体１０の換気棟開口１６及び屋根材２８の中央部分を介しての小屋裏空間への水滴の落下が阻止される。
【００１６】
次に、図９で示した換気棟の屋根材への取り付けについて説明する。
【００１７】
図１１は図９で示した換気棟の組立工程を示す端面図である。
【００１８】
図を参照して、屋根材２８はほぼ山形形状でその中央部が開口された形状を有している。具体的には、屋根材２８は、図示しない垂木の上に設置された一対の野地板２９ａ、２９ｂと、野地板２９ａ、２９ｂの各々の上面に布設された防水紙３０ａ、３０ｂと、防水紙３０ａ、３０ｂの各々の上に設置された下葺材３２ａ、３２ｂと、下葺材３２ａ、３２ｂの各々の上に設置された平板瓦３４ａ、３４ｂとから構成されている。尚、捨水切３３ａ、３３ｂは、防水紙３０ａ、３０ｂの各々の上に取り付けられ、その状態で下葺材３２ａ、３２ｂが設置されるものである。又、捨水切３３ａ、３３ｂの各々の上部には、シーリング材３９ａ、３９ｂが設置されている。
【００１９】
取り付けに際しては、まず、換気棟本体１０の平坦部１１ａ上に、内方側から水返し部１５ａ、換気部材８ａの順にこれらを設置し、これらの上方からバンド体７１ａを被せ、バンド体７１ａの外方側をリベット７２ａで固定し、内方側は水返し部１５ａと共にリベット７２ｂで平坦部１１ａに固定する。すると、換気部材８ａ及び水返し部１５ａは、平坦部１１ａ上に固定される。尚、換気部材８ｂ及び水返し部１５ｂについても、バンド体７１ｂによって同様に平坦部１１ｂに固定する。
【００２０】
次に、屋根材２８の上方に、換気棟開口１６が屋根材２８の中央部に対向するように、換気部材８ａ、８ｂを取り付けた換気棟本体１０を上方から降下させる。すると、平坦部１１ａ、１１ｂの各々の下面がシーリング材３９ａ、３９ｂの各々と接すると共に、フランジ部１３ａ、１３ｂが屋根材２８上に設置される。即ち、換気棟本体１０は屋根材２８の上に対してシール状態に設置されることになる。
【００２１】
更に、屋根材２８上に固定された換気棟本体１０及び換気部材８ａ、８ｂの上方に、換気部材８ａ及び８ｂに被さるように図示しない本体カバーを上方から降下させると、上述した図１０の状態となる。
【００２２】
次に、換気部材８の詳細な構造について説明する。
【００２３】
図１２は図９で示した換気部材の外観形状を示す概略斜視図である。
【００２４】
図を参照して、換気部材８は幅方向の断面が四角形状を有し、長手方向に対しては図９で示した換気棟開口１６ａから１６ｃまでの長手方向の長さとほぼ同一長さを有する棒形状を有している。具体的には、換気部材８は各々が凹凸断面形状を有する合成樹脂シートを複数積層した状態で切断時の熱融着によって相互に接続されて一体化されている。そして、一方の側壁から他方の側壁へ貫通する通気路２６が多数形成されている。
【００２５】
この従来例においては、四角断面形状の幅方向の長さＡは３０ｍｍであり、高さに相当する長さＢは３８ｍｍとなっている。又、通気路２６はほぼ縦１ｍｍ、横４ｍｍの長方形形状の開口寸法に設定されている。尚、このような換気部材８は、特許第２６１０３４２号において開示されている棟カバー材と基本的に同一構造である。これによって、一定条件下にあっては、換気部材８は通気路２６を介しての通気を可能とすると共に、通気路２６を介しての雨水の侵入を阻止する通気性能及び防水性能を発揮する。
【００２６】
次に、バンド体７１の詳細な構造について説明する。
【００２７】
図１３は図９で示したバンド体の外観形状を示す斜視図である。
【００２８】
図を参照して、バンド体７１は、鋼板のプレス加工によって形成され、所定方向の断面がΩ形状であり、載置する平坦部（図示せず）と平行状態に延びる一対の載置部７３ａ、７３ｂと、載置部７３ａ、７３ｂの各々の内端に垂直状態で接続されている一対の側板７４ａ、７４ｂと、側板７４ａ、７４ｂを架け渡すように接続され、載置部７３ａ、７３ｂと平行状態に延びる上面部７５とで構成されている。又、載置部７３ａ、７３ｂの各々には載置部７３ａ、７３ｂの各々を貫通する取付孔７９が形成されており、上面部７５には上面部７５を貫通する取付孔７７が、図１０で示したビス５５ａ、５５ｂの取付用に形成されている。
【００２９】
次に、換気構造体の固定状態について説明する。
【００３０】
図１４は従来の換気構造体の構造を示す概略断面図である。
【００３１】
図を参照して、バンド体７１は換気部材８に被さり固定する形状である。又、上述したように、換気部材８及び水返し部１５は、バンド体７１を介して一対のリベット７２ａ、７２ｂを用いて固定されている。リベット７２ａ、７２ｂは上面及び下面をかしめて固定された状態である。
【先行技術文献】
【特許文献】
【００３２】
【特許文献１】特開２０１１−６９１３８号公報
【発明の概要】
【発明が解決しようとする課題】
【００３３】
従来、換気部材８は使用によって風雨に曝されるため、図１２で示した換気部材が有する複数の通気路が水分や塵の影響を受け経年使用に伴って詰まっていき、換気性能が落ちるといった問題が生じていた。
【００３４】
換気部材８の交換によって上記の問題は解決するが、図１４で示したように、リベット７２をかしめることによって、バンド体７１を介して換気部材８は平坦部１１に脱着不可能に固定されている。又、図９で示したように換気部材８ａはその長手方向の両端面に沿って防水板２５ａ及び２５ｃが配置されているため、換気部材８ａは横方向に引き抜くように取り外すことはできず、複数のバンド体４１の全てを取り外した上で、上方向にのみ取り外すことができる。従って、換気部材８を取り外して交換することは容易でないという課題があった。
【００３５】
又、この課題は換気棟において用いられる換気部材に限らず、他の用途に用いられる換気部材においても同様に存在する。
【００３６】
この発明は、上記のような課題を解決するためになされたもので、取付状態から容易に換気部材を取り外すことのできる換気構造体及びこれを用いた換気棟を提供することを目的とする。
【課題を解決するための手段】
【００３７】
上記の目的を達成するために、請求項１記載の発明は、換気構造体であって、長手方向に延びる棒形状の換気部材と、換気部材がその一方面に配置される平板状の被取付体と、換気部材を被取付体に脱着自在に固定することができる固定部材とを備え、換気部材は、外殻が四角形の横断面形状を有すると共に、短手方向に対向する側面同士を連通する複数の通気路が全面に形成され、固定部材は、被取付体の一方面において、換気部材に対して短手方向に被さるように配置され、換気部材の短手方向の上面及び側面の各々に沿う側面視Ω形状のバンド体と、被取付体を介してバンド体に対向する位置に配置されたベース体と、バンド体とベース体とを被取付体を貫通した状態で脱着自在に係止する係止手段とを含み、バンド体は、換気部材の側面の各々に接して通気路の一部を塞ぐ一対の側板を有し、側板の一方のみに開口が形成されるものである。
【００３８】
このように構成すると、換気部材は取り外し自在に設置される。又、バンド体は、換気部材の３つの外面に沿う。更に、側板の各々で覆われた換気部材の通気路は通気されない。
【００４１】
請求項２記載の発明は、請求項１記載の発明の構成において、バンド体は、換気部材の側面の一方のみに接する第１バンド部品と、第１バンド部品の外面の上端部と、換気部材の上面及び側面の他方とに接する第２バンド部品とから構成されるものである。
【００４２】
このように構成すると、第２バンド部品を取り外すだけで換気部材の交換が可能となる。
【００４３】
請求項３記載の発明は、換気構造体であって、長手方向に延びる棒形状の換気部材と、換気部材がその一方面に配置される平板状の被取付体と、換気部材を被取付体に脱着自在に固定することができる固定部材とを備え、換気部材は、外殻が四角形の横断面形状を有すると共に、短手方向に対向する側面同士を連通する複数の通気路が全面に形成され、固定部材は、被取付体の一方面において、換気部材に対して短手方向に被さるように配置され、換気部材の短手方向の上面及び側面の各々に沿う側面視Ω形状のバンド体と、被取付体を介してバンド体に対向する位置に配置されたベース体と、バンド体とベース体とを被取付体を貫通した状態で脱着自在に係止する係止手段とを含み、バンド体は、換気部材の側面の一方のみに接する第１バンド部品と、第１バンド部品の外面の上端部と、換気部材の上面及び側面の他方とに接する第２バンド部品とから構成され、係止手段は、ベース体の一方面に固定され、被取付体を貫通する少なくとも一対のボルト胴部と、第１バンド部品に形成され、ボルト胴部の一方が挿通される第１の開口と、第２バンド部品に形成され、ボルト胴部の他方が挿通される第２の開口と、ボルト胴部の一方に螺合する第１のナットと、ボルト胴部の他方に螺合する第２のナットとを含むものである。
【００４４】
このように構成すると、換気部材は取り外し自在に設置される。又、バンド体は、換気部材の３つの外面に沿う。更に、第２バンド部品を取り外すだけで換気部材の交換が可能となる。更に、第２バンド部品を取り外してもベース体が被取付体から脱落しない。
【００４５】
請求項４記載の発明は、請求項３記載の発明の構成において、バンド体は、換気部材の側面の各々に接して通気路の一部を塞ぐ一対の側板を有し、側板の一方のみに開口が形成されるものである。
【００４６】
このように構成すると、側板の各々で覆われた換気部材の通気路は通気されない。
【００４７】
請求項５記載の発明は、請求項１から請求項４のいずれかに記載の換気構造体を備えた、換気棟である。
【００４８】
このように構成すると、換気棟において換気部材の交換が可能となる。
【発明の効果】
【００４９】
以上説明したように、請求項１記載の発明は、換気部材は取り外し自在に設置されるため、換気部材の交換が容易となる。又、バンド体は、換気部材の３つの外面に沿うため、換気部材の固定状態が安定する。更に、側板の各々で覆われた換気部材の通気路は通気されないため、開口を通して換気部材の使用状態が目視できる。
【００５１】
請求項２記載の発明は、請求項１記載の発明の効果に加えて、第２バンド部品を取り外すだけで換気部材の交換が可能となるため、換気部材の交換が容易である。
【００５２】
請求項３記載の発明は、換気部材は取り外し自在に設置されるため、換気部材の交換が容易となる。又、バンド体は、換気部材の３つの外面に沿うため、換気部材の固定状態が安定する。更に、第２バンド部品を取り外すだけで換気部材の交換が可能となるため、換気部材の交換が容易である。更に、第２バンド部品を取り外してもベース体が被取付体から脱落しないため、使用勝手が向上する。
【００５３】
請求項４記載の発明は、請求項３記載の発明の効果に加えて、側板の各々で覆われた換気部材の通気路は通気されないため、開口を通して換気部材の使用状態が目視できる。
【００５４】
請求項５記載の発明は、換気棟において換気部材の交換が可能となるため、コスト的に有利な換気棟となる。
【図面の簡単な説明】
【００５５】
【図１】この発明の第１の実施の形態による換気構造体を使用した換気棟の全体構造を示す分解斜視図である。
【図２】換気棟を屋根材に取り付けた状態であって、本体カバーを設置した状態における図１で示したＩＩ−ＩＩラインの端面図である。
【図３】図１で示したバンド体を取り外した状態の換気棟の構造を示す斜視図である。
【図４】この発明の第１の実施の形態による換気構造体において使用されるバンド体の外観形状を示す斜視図である。
【図５】この発明の第１の実施の形態による換気構造体の構造を示す概略断面図である。
【図６】図５で示したＶＩ−ＶＩラインから見た図であって、（１）は未使用の換気部材の状態を示すものであり、（２）は経年使用後の換気部材の状態を示すものである。
【図７】この発明の第２の実施の形態による換気構造体の構造を示す概略断面図であって、図５に対応するものである。
【図８】図７で示した換気構造体の第２バンド部品を取り外した状態を示す概略断面図である。
【図９】従来の換気構造体を使用した換気棟の全体構造を示す分解斜視図である。
【図１０】換気棟を屋根材に取り付けた状態であって、本体カバーを設置した状態における図９で示したＸ−Ｘラインの端面図である。
【図１１】図９で示した換気棟の組立工程を示す端面図である。
【図１２】図９で示した換気部材の外観形状を示す概略斜視図である。
【図１３】図９で示したバンド体の外観形状を示す斜視図である。
【図１４】従来の換気構造体の構造を示す概略断面図である。
【発明を実施するための形態】
【００５６】
図１はこの発明の第１の実施の形態による換気構造体を使用した換気棟の全体構造を示す分解斜視図である。
【００５７】
図を参照して、換気棟５は、図９で示した従来の換気棟と同様に、鋼板のプレス加工によって形成された換気棟本体１０と、換気棟本体１０上に設置された一対の換気構造体４０ａ、４０ｂと、図の矢印で示すように換気部材８ａ及び８ｂに被さるように設置される、鋼板のプレス加工によって形成された本体カバー２０とから主に構成されている。
【００５８】
ここで、換気棟本体１０及び本体カバー２０の構成は従来例と基本的に同様であるため、ここでは相違点の存在する換気構造体４０ａ、４０ｂについて主に説明する。
【００５９】
換気構造体４０ａ、４０ｂは、一対の換気部材８ａ、８ｂと、換気部材８ａ、８ｂの各々が上面に配置されている換気棟本体１０の平坦部１１ａ、１１ｂと、平坦部１１ａ、１１ｂの各々を被取付体として換気部材８ａ、８ｂを固定している金属製の複数のバンド体４１ａ、４１ｂとで構成されている。
【００６０】
まず、換気部材８ａ、８ｂは、外殻が四角形の横断面形状を有すると共に、換気棟本体１０の換気棟開口１６ａ〜１６ｃに沿って長手方向に延びる棒形状を有している。又、換気部材８ａ、８ｂの構造は、図１２で示した従来の換気部材と同様の構成であり、短手方向に対向する側面同士を連通する複数の通気路が全面に形成されており、通気性能及び防水性能を有する。
【００６１】
次に、バンド体４１ａ、４１ｂは、換気棟本体１０の平坦部１１ａ、１１ｂの各々の上面において、換気部材８ａ、８ｂの各々に対して短手方向に被さるように配置されている。又、換気部材８ａ、８ｂの各々の短手方向の上面及び側面の各々に沿う側面視Ω形状となっており、換気部材８ａ、８ｂの各々を平坦部１１ａ、１１ｂの各々に脱着自在に固定している。このように、バンド体４１ａ、４１ｂの各々は、換気部材８ａ、８ｂの各々の３つの外面に沿うように配置されているため、換気部材の固定状態が安定している。バンド体４１ａ、４１ｂの詳細な構造については後述する。
【００６２】
図２は換気棟を屋根材に取り付けた状態であって、本体カバーを設置した状態における図１で示したＩＩ−ＩＩラインの端面図である。
【００６３】
図を参照して、換気棟５の断面構造は、図１０で示した従来の換気棟と基本的に同様の構成であるが、バンド体４１ａ、４１ｂの各々は、従来のリベットに代えて複数の留め金具部５２ａ〜５２ｄを用いて平坦部１１ａ、１１ｂの各々と脱着自在に固定されている。
【００６４】
次に、換気部材を交換する際の工程について説明する。
【００６５】
図３は図１で示したバンド体を取り外した状態の換気棟の構造を示す斜視図である。
【００６６】
図を参照して、換気部材８ａの長手方向の両端面に沿って防水板２５ａ及び２５ｃが配置されているため、換気部材８ａを取り外す際には、図の一点鎖線で描いた矢印で示すように換気部材８ａは上方向にのみ取り外すことができる。従って、換気部材８ａの交換の際には、換気部材８ａを平坦部１１ａに固定していた複数のバンド体４１を全て取り外す必要がある。
【００６７】
そこで、この発明の第１の実施の形態による換気構造体において使用されるバンド体の詳細な構造について説明する。
【００６８】
図４はこのバンド体の外観形状を示す斜視図である。
【００６９】
図を参照して、バンド体４１は、厚さ１ｍｍ程度の鋼板を成型してなり、側面視Ω形状である。又、バンド体４１は、載置する平坦部（図示せず）と平行状態に延び、取付孔４９が形成されている一対の載置部４３ａ、４３ｂと、載置部４３ａ、４３ｂの各々の内端中央部分に垂直状態で接続され、その一方にのみ開口５１が形成されている一対の側板４４ａ、４４ｂと、側板４４ａ、４４ｂを架け渡すように接続され、載置部４３ａ、４３ｂと平行状態に延び、取付孔４７が形成されている上面部４５と、バンド体４１を使用する際の係止手段である一対の留め金具部５２ａ、５２ｂとで構成されている。
【００７０】
留め金具部５２ａ、５２ｂは、載置部４３ａ、４３ｂと平行状態に配置される一対のベース体６０ａ、６０ｂと、ベース体６０ａ、６０ｂの各々にかしめて接続され、ベース体６０ａ、６０ｂの各々の上面から垂直状態に延びる二対のボルト胴部５９ａ、５９ｂ、５９ｃ、５９ｄとから構成されている。又、ベース体６０ａ、６０ｂの各々におけるボルト胴部５９ａ、５９ｂ、５９ｃ、５９ｄの位置と個数は、載置部４３ａ、４３ｂの各々における取付孔４９の位置と個数に対応している。そして、ボルト胴部５９ａ、５９ｂ、５９ｃ、５９ｄの各々は、取付孔４９を貫通して固定できるように対応した断面径となっている。
【００７１】
尚、この実施の形態では、ボルト胴部はベース体に対して２つ存在しているが、少なくとも１つのボルト胴部があれば良い。
【００７２】
次に、留め金具部５２による係止手段について説明する。
【００７３】
図５はこの発明の第１の実施の形態による換気構造体の構造を示す概略断面図である。
【００７４】
図を参照して、留め金具部５２ａ、５２ｂの各々は、被取付体である平坦部１１を介してバンド体４１の載置部４３ａ、４３ｂの各々に対向する位置に配置されたベース体６０ａ、６０ｂを有し、バンド体４１とベース体６０ａ、６０ｂの各々とを平坦部１１をボルト胴部５９ａ、５９ｂの各々によって貫通した状態で設置されている。又、ボルト胴部５９ａ、５９ｂの各々は、バンド体４１の載置部４３ａ、４３ｂの各々の上面においてナット５４ａ、５４ｂの各々及びワッシャー５３ａ、５３ｂの各々によって螺合されているため、脱着自在である。更に、バンド体４１の内方側においては、載置部４３ａと平坦部１１の間に水返し部１５を挟むようにして固定している。
【００７５】
この換気構造体にあっては、複数のバンド体４１の各々は平坦部１１と脱着自在に固定されているため、複数のバンド体４１を全て取り外すことにより、換気部材８は容易に交換することができる。
【００７６】
このように、この換気構造体を用いた換気棟においては、経年使用によって換気性能が劣化しても、換気部材のみを交換することで換気性能を復帰させることができるため、コスト的に有利である。
【００７７】
尚、この実施の形態では、バンド体及び換気部材の平坦部に対する係止手段として、ベース体の上面に２つのボルト胴部を固定した留め金具部を用いているが、バンド体とベース体とを平坦部を貫通した状態で脱着自在に係止する係止手段であれば良い。
【００７８】
このバンド体４１は、換気部材８の側面の各々に接して通気路の一部を塞ぐ一対の側板４４ａ、４４ｂを有しており、側板４４ｂのみに開口５１が形成されている。この換気構造体４０を使用する際には、図の一点鎖線で描いた矢印で示す方向（外方側）から外気が流入するが、開口５１の換気部材を介した対向側には側板４４ａが存在しているため、開口５１を通して目視できる部分の換気部材８の通気路は通気されない。この開口５１による効果について以下説明する。
【００７９】
図６は図５で示したＶＩ−ＶＩラインから見た図であって、（１）は未使用の換気部材の状態を示すものであり、（２）は経年使用後の換気部材の状態を示すものである。
【００８０】
まず（１）を参照して、バンド体４１の側板４４ｂに形成された開口５１から目視できる部分の換気部材８の通気路の色は、未使用であるため、側板４４ｂで塞がれていない部分の換気部材８の通気路の色と変わりない。
【００８１】
次に（２）を参照して、開口５１から目視できる部分の換気部材８の通気路は通気されないため、その部分の通気路の色は経年使用後も変化していない。一方、側板４４ｂで塞がれていない部分の換気部材８の通気路は、水分や塵の影響を受け経年使用によって詰まっていくため、色が変化する。このように、開口５１を正面視する方向において、開口５１から目視できる部分の換気部材８の通気路の色と、側板４４ｂで塞がれていない部分の換気部材８の通気路の色とを対比することにより、バンド体を取り外す前に、換気部材８の交換に適した時機を目視で判断することができる。
【００８２】
図７はこの発明の第２の実施の形態による換気構造体の構造を示す概略断面図であって、図５に対応するものである。
【００８３】
図を参照して、この実施の形態による換気構造体４０の換気部材８、平坦部１１及びこれらの位置関係は第１の実施の形態による換気構造体４０と基本的に同様であるため、相違点を中心に説明する。
【００８４】
まず、バンド体４１は、換気部材８の側面の内方側（図において左側）のみに接する第１バンド部品５６と、第１バンド部品５６の外面の上端部、換気部材８の上面及び側面の外方側に接する第２バンド部品５７とから構成されている。このように、バンド体４１は換気部材８の上面及び一対の側面の３つの外面に沿い接するように固定されているため、換気部材８の固定状態は安定している。
【００８５】
又、第２バンド部品５７には開口５１が形成されているため、第１の実施の形態による換気構造体と同様に、開口５１を通して換気部材の使用状態が目視できる。
【００８６】
次に、留め金具部５２は、平坦部１１の下面に接している１枚のベース体６０と、ベース体６０の上方面を共通として固定され、平坦部１１を貫通する一対のボルト胴部５９ａ、５９ｂとで構成されている。又、ボルト胴部５９ａは、第１バンド部品５６の載置部４３ａに形成されている第１の開口６３を挿通し、載置部４３ａの上面において第１のナット５４ａ及びワッシャー５３ａによって螺合される。ボルト胴部５９ｂもボルト胴部５９ａと同様に、第２バンド部品５７の載置部４３ｂに形成される第２の開口６４を挿通し、載置部４３ｂの上面において第２のナット５４ｂ及びワッシャー５３ｂによって螺合される。このように、ボルト胴部５９ａ、５９ｂの各々は螺合により固定されているため、取り外し自在である。バンド体４１は平坦部１１に対して脱着自在である点は第１の実施の形態と同様であるが、取り外しに関する特有の効果について以下説明する。
【００８７】
そこで、この換気構造体において換気部材を取り外す際の工程について説明する。
【００８８】
まず、上述したように第１バンド部品５６と第２バンド部品５７とは別体となっているため、第２のナット５４ｂ及びワッシャー５３ｂを取り外すことによって、第２バンド部品５７のみを取り外すことができる。
【００８９】
図８は図７で示した換気構造体の状態から第２バンド部品を取り外した状態を示す概略断面図である。
【００９０】
図を参照して、第２バンド部品５７は、上方に取り外されているが、第１バンド部品５６は図７で示した固定状態のまま残っている。
【００９１】
これによって、換気部材８は平坦部１１に対する固定状態が解除され、図の一点鎖線で描いた矢印及び換気部材が示すように、容易に取り外して交換することができる。即ち、換気部材８を取り外して交換するためには、第２のナット５４ｂ及びワッシャー５３ｂのみ取り外せば良い。
【００９２】
又、第２バンド部品５７を取り外しても、留め金具部５２は第１のナット５４ａ及びワッシャー５３ａによって平坦部１１に対する固定状態が維持されているため、ベース体６０が平坦部１１の下方に落下する虞が無い。そのため、使用勝手が向上する。
【００９３】
尚、この実施の形態では、換気部材の側面の内方側に接する一方を第１バンド部品とし、換気部材の側面の外方側に接する他方を第２バンド部品としているが、第１バンド部品と第２バンド部品が逆であっても良い。
【００９４】
尚、上記の各実施の形態では、換気構造体が、中央に換気棟開口部分を隔てて一対の部材群を有する対称構造である換気棟に用いられているが、片方の部材群のみで構成する構造である換気棟に用いられていても良い。
【００９５】
又、上記の各実施の形態では、換気構造体が換気棟に用いられ、換気棟本体の平坦部を換気部材の被取付体として用いているが、被取付体は換気棟本体の平坦部でなくとも良い。
【００９６】
更に、上記の各実施の形態では、換気棟と屋根材を貫通して固定する固定釘を打ち込むための取付孔が、換気棟本体の平坦部のバンド体で覆われていない部分に形成されているが、バンド体上に形成されていても良い。
【００９７】
更に、上記の各実施の形態では、留め金具部が、バンド体、平坦部及び水返し部を貫通して螺合することでこれらを固定しているが、水返し部は無くても良いし、更に他の部材を固定しても良い。
【００９８】
更に、上記の各実施の形態では、換気部材が、外殻が長方形の横断面形状を有しているが、他の四角形の横断面形状を有していても良い。
【００９９】
更に、上記の各実施の形態では、留め金具部のベース体が、上方視において長方形形状であるが、他の形状であっても良い。
【０１００】
更に、上記の各実施の形態では、留め金具部のボルト胴部が、ナットとワッシャーを用いて螺合されているが、ワッシャーが無くとも良い。
【０１０１】
更に、上記の各実施の形態では、バンド体の側板の外方側に正面視円形の開口が形成されているが、内方側の側板のみに開口が形成されていても良いし、正面視円形でなく他の形状の開口又は切れ込みであっても良い。
【０１０２】
更に、上記の各実施の形態では、バンド体が、鋼板から成型されているが、合成樹脂等の無色透明な素材でも良い。この場合、換気部材の外方側の側板のバンド体で覆われる部分の色が目視で判断できるため、バンド体の開口は無くとも良い。
【０１０３】
更に、上記の各実施の形態では、換気構造体が、換気棟において使用されているが、換気棟以外において使用されても良い。
【０１０４】
更に、上記の各実施の形態では、固定部材が、所定方向の断面がΩ形状であるバンド体等であるが、他の構成でも良い。
【０１０５】
更に、上記の各実施の形態では、固定部材が、換気棟に対して三対存在しているが、他の個数でも良い。
【０１０６】
更に、上記の各実施の形態では、開口が、バンド体の片方の側板に形成されているが、開口が無くとも良い。この場合において、バンド体は、上記の各実施の形態では換気部材の３つの外面に接しているが、３つの外面に沿う形状であれば良い。
【０１０７】
更に、上記の第２の実施の形態では、バンド体が、第２バンド部品が第１バンド部品の外面の上端部に接する形状を持つ構成であるが、２分割されており一方のみ取り外すことによって換気部材が取り外すことのできるものであれば他の構成でも良い。
【０１０８】
更に、上記の各実施の形態では、ボルト胴部が、ベース体に対して二対存在しているが、一対又は三以上の対でも良い。
【０１０９】
更に、上記の第１の実施の形態では、ベース体が、バンド体の２つの載置部に対応する位置に２つ存在するが、バンド体の２つの載置部を架け渡すように１枚であっても良い。
【０１１０】
更に、上記の第２の実施の形態では、ベース体が、バンド体の２つの載置部を架け渡すように１枚であるが、バンド体の２つの載置部に対応する位置に２つ存在しても良い。
【符号の説明】
【０１１１】
５…換気棟
８…換気部材
１１…平坦部
２６…通気路
４０…換気構造体
４１…バンド体
４４…側板
５１…開口
５２…留め金具部
５４…ナット
５６…第１バンド部品
５７…第２バンド部品
５９…ボルト胴部
６０…ベース体
６３…第１の開口
６４…第２の開口
７０…換気構造体
７１…バンド体
７４…側板
尚、各図中同一符号は同一又は相当部分を示す。
【要約】
【課題】  取付状態から容易に換気部材を取り外すことのできる換気構造体及びこれを用いた換気棟を提供する。
【解決手段】  留め金具部５２ａ、５２ｂの各々は、被取付体である平坦部１１を介してバンド体４１の載置部４３ａ、４３ｂの各々に対向する位置に配置されたベース体６０ａ、６０ｂを有し、バンド体４１とベース体６０ａ、６０ｂの各々とを平坦部１１をボルト胴部５９ａ、５９ｂの各々によって貫通した状態で設置されている。又、ボルト胴部５９ａ、５９ｂの各々は、バンド体４１の載置部４３ａ、４３ｂの各々の上面においてナット５４ａ、５４ｂの各々及びワッシャー５３ａ、５３ｂの各々によって螺合されている。そのため、バンド体４１は平坦部１１に対して脱着自在である。従って、換気部材８は、バンド体４１を取り外すことによって、容易に取り外して交換することができる。
【選択図】  図５【図１】
0005876957.tif 000002
【図２】
0005876957.tif 000003
【図３】
0005876957.tif 000004
【図４】
0005876957.tif 000005
【図５】
0005876957.tif 000006
【図６】
0005876957.tif 000007
【図７】
0005876957.tif 000008
【図８】
0005876957.tif 000009
【図９】
0005876957.tif 000010
【図１０】
0005876957.tif 000011
【図１１】
0005876957.tif 000012
【図１２】
0005876957.tif 000013
【図１３】
0005876957.tif 000014
【図１４】
0005876957.tif 000015